【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
（ｉ）使用時に液体の供給源を含む容器と、
（ｉｉ）計量又は測定された用量の液体を送るための可変容量室を有するタンクと連通する容積式ポンプと、
（ｉｉｉ）前記容積式ポンプと連通する支持ハウジング又はチューブと、
（ｉｖ）前記支持ハウジング又はチューブに隣接して配置されるとともにこれに連通する接触装置であって、計量された量の流体が植物や他の基体に供給される、前記接触装置とを備え、
（ａ）同接触装置に隣接して配置されるとともに、該接触装置のホルダと、包囲する外側ハウジングとの間の間隙又は空隙によって形成されるに内部区画室が設けられ、同内部区画室は液体の計量された用量より大きな容量を有する支持チューブと連通し、該計量された用量は、内部区画室内に送られるとともに接触装置に送られるに先立って内部区画室内に保持され、あるいは
（ｂ）計量された量の流体は、該支持ハウジング又はチューブ内に配置される少なくとも部分的にループを形成するか巻かれた部分を有する可撓性を備えた導管によって接触装置に送られることを特徴とする液体アプリケータ。
【請求項２】
前記液体の供給源を含む容器は、使用者に着用されるナップザックやベルトにて担持されるボトルであるか、使用者の背中にて担持されることを特徴とする請求項１に記載の液体アプリケータ。
【請求項３】
前記容器は、前記容器と前記容積式ポンプとを相互に連結させる供給ホース又は導管に接続される出口を有することを特徴とする請求項２に記載の液体アプリケータ。
【請求項４】
前記支持ハウジング又はチューブは前記容積式ポンプを包囲し、且つ前記支持ハウジング又はチューブの外部に配置されるトリガ装置によって操作されることを特徴とする請求項１乃至３のうちのいずれか一項に記載の液体アプリケータ。
【請求項５】
前記容積式ポンプは、前記支持ハウジング又はチューブと分離され、且つポンプの外部に配置されるトリガ装置によって操作されることを特徴とする請求項１乃至３のうちのいずれか一項に記載の液体アプリケータ。
【請求項６】
前記接触装置に隣接して配置されるとともに、該接触装置のホルダと、包囲する外側ハウジングとの間の間隙又は空隙によって形成されるに内部区画室が設けられ、同内部区画室は液体の計量された用量より大きな容量を有する支持チューブと連通し、該計量された用量は、内部区画室内に送られるとともに接触装置に送られるに先立って内部区画室内に保持されることを特徴とする請求項１乃至５のうちのいずれか一項に記載の液体アプリケータ。
【請求項７】
前記計量された量の流体は、前記支持ハウジング又はチューブ内に配置される少なくとも部分的にループを形成するか巻かれた部分を有する可撓性を備えるか剛性を備えた導管を通して接触装置に送られることを特徴とする請求項１乃至６のうちのいずれか一項に記載の液体アプリケータ。
【請求項８】
前記接触装置は、ブラシ、ローラ、払拭スリーブ、あるいはシートであり、前記ホルダによって支持ハウジング又はチューブの隣接した端部に取り付けられることを特徴とする請求項６又は７に記載の液体アプリケータ。
【請求項９】
前記接触装置は、支持ハウジング又はチューブの一端に配置されたパッドであり、これにより前記計量された量の流体がパッドに渡されることを特徴とする請求項７に記載の液体アプリケータ。
【請求項１０】
（ｉ）使用時に液体の供給源を含む容器と、
（ｉｉ）ポンプと、
（ｉｉｉ）前記ポンプと連通するとともに、植物と接触する接触装置を有する支持ハウジング又はチューブと、
（ｉｖ）前記接触装置に作動的に接続されて、前記接触装置又は前記ポンプを作動させ、これにより流体を植物や他の基体に供給するアクチュエータケーブル、ロッド、あるいは長尺状ライン部材とを備え、一端に作動ケーブル又はロッドが取り付けられる可撓性を備えた側壁を有する蛇腹式ポンプを更に備え、ケーブル又はロッドの往復運動により、蛇腹式ポンプの側壁の内側への運動が生じ、外側への運動がこれに続き、これにより、液体は蛇腹式ポンプから支持ハウジング又はチューブの隣接端に配置される接触装置に押し出されることを特徴とする液体アプリケータ。
【請求項１１】
前記ポンプは、トリガ装置によって手動で操作可能である請求項１０に記載の液体アプリケータ。
【請求項１２】
前記接触装置は、アクチュエータケーブル又はロッドの運動により内方および外方に往復運動する一対の対向する顎部を備え、同顎部の間に配置される前記植物や他の基体は、液体と接触されることを特徴とする請求項１０又は１１に記載の液体アプリケータ。
【請求項１３】
前記ポンプは容器として更に機能することを特徴とする請求項１０乃至１２のうちのいずれか一項に記載の液体アプリケータ。
【請求項１４】
前記ケーブル又はロッドの駆動のためのトリガが設けられることを特徴とする請求項１３に記載の液体アプリケータ。
【請求項１５】
隣接する流体導管を接続するための継ぎ手アセンブリであって、
（ｉ）内側バイオネット接続部および外側バイオネット接続部の対を有するメス継ぎ手と、
（ｉｉ）該メス継ぎ手における内側バイオネット接続部および外側バイオネット接続部の対と同時に嵌合する、対応する内側バイオネット接続部および外側バイオネット接続部を有するオス継ぎ手とを備え、
前記同時の嵌合に応答して弁部材の運動が生じ、これにより流体が継ぎ手アセンブリを通過することを特徴とする継ぎ手アセンブリ。
【手続補正２】
【補正対象書類名】明細書
【補正対象項目名】発明の名称
【補正方法】変更
【補正の内容】
【発明の名称】液体アプリケータおよび継ぎ手アセンブリ
【手続補正３】
【補正対象書類名】明細書
【補正対象項目名】００２２
【補正方法】変更
【補正の内容】
【００２２】
【図１】第１の実施例におけるアプリケータを示す側面図。
【図１Ａ】図１に示す「Ａ」を詳細に示す拡大図。
【図１Ｂ】図１に示す「Ｂ」を詳細に示す拡大図。
【図１Ｃ】図１に示す「Ｃ」を詳細に示す拡大図。
【図１Ｄ】図１に示す「Ｄ」を詳細に示す拡大図。
【図１Ｅ】図１に示す「Ｅ」を詳細に示す拡大図。
【図２】図１に示す「Ｅ」を詳細に示す側面図。
【図３】図２のアプリケータを示す斜視分解図。
【図４】図１に示す「Ｄ」を詳細に示す側面図。
【図５】本発明の第２の実施例におけるアプリケータを示す側面図。
【図６】図５に示す「Ｆ」を詳細に示す側面図。
【図７】図５に示す「Ｆ」を詳細に示す斜視拡大分解図。
【図８】本発明の第３の実施例におけるアプリケータを示す斜視図。
【図９】図８に示す「Ｇ」を詳細に示す斜視拡大図。
【図１０】図８に示す「Ｈ」を詳細に示す斜視拡大図。
【図１１】図８に示す実施例における区分を示す内部図。
【図１２】本発明の第４の実施例におけるアプリケータを示す側面図。
【図１３】図１２に示す「Ｉ」を詳細に示す拡大図。
【図１４】本発明の第５の実施例におけるアプリケータを示す側面図。
【図１５】図１４に示す蛇腹式ボトルアセンブリの一部を示す斜視拡大図。
【図１６】図１４に示す蛇腹ボトルアセンブリを示す側面拡大図。
【図１７】本発明によるメス継ぎ手に接続されるチューブを示す斜視図。
【図１８】図１７に示すメス継ぎ手についての代替図。
【図１９】図１７に示すメス継ぎ手についての代替図。
【図２０】図１７に示すメス継ぎ手についての代替図。
【図２１】図１７に示すメス継ぎ手についての代替図。
【図２２】相互に並べられるオス継ぎ手および剛性を備えたチューブを示す図。
【図２３】相互に並べられるオス継ぎ手および剛性を備えたチューブを示す図。
【図２４】本発明のオス継ぎ手に接続されるチューブを示す斜視図。
【図２５】オス継ぎ手を示す代替図。
【図２６】オス継ぎ手を示す代替図。
【図２７】図２４に示すチューブとともにオス継ぎ手および関連する流体継ぎ手を示す斜視分解図。
【図２８】液体アプリケータの構成要素を担持するために使用される、本発明の液体アプリケータの使用者によって着用されるベルトを示す斜視図。
【手続補正４】
【補正対象書類名】図面
【補正対象項目名】図１Ｃ
【補正方法】変更
【補正の内容】
【図１Ｃ】
2013529470.tif 000001